【事件の表示】
　特許第３０６６３７７号「電気掃除機およびその吸口体」の請求項１ないし１０に係る特許に対する特許異議の申立てについて、次のとおり決定する。
【結　論】
　訂正を認める。
　特許第３０６６３７７号の請求項１ないし１０に係る特許を維持する。
【理　由】
１、手続の経緯
　本件特許第３０６６３７７号に係る発明は、平成９年１１月２８日に出願した特願平９−３２７５３８号の一部を新たな特許出願としたものであって、平成１２年５月１２日に特許権の設定登録がされ、特許異議申立人・樋口守孝よりその全請求項に係る特許に対して特許異議の申立てがなされ、平成１３年６月１２日付けで取消理由が通知された後、平成１３年８月２３日に訂正請求がなされたものである。
　
２、訂正の適否
イ、訂正の内容
［訂正事項ａ］
　願書に添付した明細書（以下、「特許明細書」という。）の【請求項１】の記載、
「【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。」
を、
「【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。」
と訂正する。（下線部は訂正個所を示す。以下、同じ。）
　
［訂正事項ｂ］
　特許明細書の【請求項２】の記載、
「【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
を、
「【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
と訂正する。
　
［訂正事項ｃ］
　特許明細書の【請求項４】の記載、
「【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された回転体と、一端が前記回転体の他端と接続され他端が前記吸引管に接続され、前記第１回転軸と直交する第２回転軸を回転中心として前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
を、
「【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
と訂正する。
　
［訂正事項ｄ］
　特許明細書の【請求項７】の記載、
「【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される回転体と、一端が前記回転体の他端と接続され、前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
を、
「【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
と訂正する。
　
［訂正事項ｅ］
　特許明細書の【請求項９】の記載、
「【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される回転体と、その一端が前記回転体の他端と接続され前記第１回転軸と直交する第２回転軸を回転中心として前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
を、
「【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
と訂正する。
　
［訂正事項ｆ］
　特許明細書の【０００９】欄の記載、
「【課題を解決するための手段】
　前記目的を達成するため、本願に係る電気掃除機の１つの発明では、
　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転するように、構成される。
　また、前記目的を達成するため、本願に係る電気掃除機の吸口体の１つの発明では、
　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される回転体と、一端が前記回転体の他端と接続され、前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転するように、構成される。」
を、
「【課題を解決するための手段】
　前記目的を達成するため、本願に係る電気掃除機の１つの発明では、
　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転するように、構成される。
　また、前記目的を達成するため、本願に係る電気掃除機の吸口体の１つの発明では、
　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転するように、構成される。」
と訂正する。
　
　
ロ、訂正の目的の適否、新規事項の有無及び拡張・変更の存否
［訂正事項ａについて］
　訂正事項ａは、特許明細書記載の請求項１の構成要素の「回転体」が筒状である点、及び、「接続部」の接続の態様が回転体の他端に内在されて接続されている点を限定したものであるから、訂正事項ａは、請求項１に係る発明に技術的限定を付すものであり、特許請求の範囲の減縮を目的とするものである。
　
　そして、訂正事項ａに係る訂正事項は、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正である。
　
　また、訂正事項ａに係る訂正事項は、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
［訂正事項ｂについて］
　訂正事項ｂは、特許明細書記載の請求項２の構成要素の「回転体」が筒状である点、及び、「接続部」の接続の態様が回転体の他端に内在されて接続されている点を限定したものであるから、訂正事項ｂは、請求項２に係る発明に技術的限定を付すものであり、特許請求の範囲の減縮を目的とするものである。
　
　そして、訂正事項ｂに係る訂正事項は、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正である。
　
　また、訂正事項ｂに係る訂正事項は、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
［訂正事項ｃについて］
　訂正事項ｃは、特許明細書記載の請求項４の構成要素の「回転体」が筒状である点、及び、「接続部」の接続の態様が回転体の他端に内在されて接続されている点を限定したものであるから、訂正事項ｃは、請求項４に係る発明に技術的限定を付すものであり、特許請求の範囲の減縮を目的とするものである。
　
　そして、訂正事項ｃに係る訂正事項は、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正である。
　
　また、訂正事項ｃに係る訂正事項は、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
［訂正事項ｄについて］
　訂正事項ｄは、特許明細書記載の請求項７の構成要素の「回転体」が筒状である点、及び、「接続部」の接続の態様が回転体の他端に内在されて接続されている点を限定したものであるから、訂正事項ｄは、請求項７に係る発明に技術的限定を付すものであり、特許請求の範囲の減縮を目的とするものである。
　
　そして、訂正事項ｄに係る訂正事項は、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正である。
　
　また、訂正事項ｄに係る訂正事項は、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
［訂正事項ｅについて］
　訂正事項ｅは、特許明細書記載の請求項９の構成要素の「回転体」が筒状である点、及び、「接続部」の接続の態様が回転体の他端に内在されて接続されている点を限定したものであるから、訂正事項ｅは、請求項９に係る発明に技術的限定を付すものであり、特許請求の範囲の減縮を目的とするものである。
　
　そして、訂正事項ｅに係る訂正事項は、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正である。
　
　また、訂正事項ｅに係る訂正事項は、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
［訂正事項ｆについて］
　訂正事項ｆは、上記訂正事項ａないしｅに示す請求項１、２、４、７、９に係る訂正に伴って必要となった特許明細書の【０００９】欄の【課題を解決するための手段】の記載を上記請求項の記載と整合させるものであるから、明りょうでない記載の釈明を目的とするものであり、特許明細書の【００３４】欄に、「・・・前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。・・・」と記載されていた点からみて、特許明細書に記載されていた事項の範囲内においてした訂正であって、特許明細書の【０００８】欄記載の「本発明の目的は、手元ハンドルのひねり動作で吸口本体を床面に対して広範囲に回転させることができるとともに、低い隙間の清掃性が好適な電気掃除機を提供することにある。」という本件に係る発明の課題に変更を及ぼすものではないから、実質上特許請求の範囲を拡張し又は変更するものではない。
　
　以上のとおりであるから、本件訂正請求は、特許法第１２０条の４第２項に規定する事項を目的とするものであり、特許法第１２０条の４第３項で準用する特許法第１２６条第２、３項の規定に適合するので、当該訂正を認める。
　
　
３、特許異議申立についての判断
　
イ、本件発明
　本件に係る発明についてした訂正請求は、上記２のとおりの理由で認められるものであるから、本件に係る発明は、訂正請求書に添付した訂正明細書の特許請求の範囲の請求項１ないし１０に記載された以下のとおりものである。（以下、それぞれ「本件発明１ないし１０」という。）
　
【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。
　
【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。
　
【請求項３】　請求項２に記載において、
　前記継手と接続された前記吸引管が、清掃面に対して略垂直な状態から前記吸口本体の左右方向と略平行な状態をとり得ることを特徴とする電気掃除機。
　
【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。
　
【請求項５】　請求項４に記載において、
　前記継手と接続された前記吸引管が、清掃面に対して略垂直な状態から前記吸口本体の左右方向と略平行な状態をとり得ることを特徴とする電気掃除機。
  　
【請求項６】　請求項２乃至５の何れか１項に記載において、
　前記吸引管をその管軸を中心にひねることにより、前記吸引管と前記吸口本体の左右方向とが上から見て略平行な状態となるように、前記吸口本体を回転させることを特徴とする電気掃除機。
　
【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。
　
【請求項８】　請求項７に記載において、
　前記継手が、清掃面に対して略垂直な状態から、前記吸口本体の左右方向と略平行な状態をとり得ることを特徴とする電気掃除機の吸口体。
　
【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。
　
【請求項１０】　請求項９に記載において、
　前記継手が、清掃面に対して略垂直な状態から、前記吸口本体の左右方向と略平行な状態をとり得ることを特徴とする電気掃除機の吸口体。
　
　
ロ、特許異議申立の理由の概要
　特許異議申立人・樋口守孝は、証拠方法として、
　甲第１号証（特開昭５５−１９１４３号公報）
　甲第２号証（実願昭５６−１２２２３７号（実開昭５８−２６４５７号）のマイクロフィルム）
　甲第３号証（特開平４−３１２４２７号公報）
　甲第４号証（特公平２−２４５２９号公報）
を提示し、本件発明１ないし１０に係る特許は、特許法第２９条第１項第３号或いは特許法第２９条第２項の規定に違反して特許されたものであるから取り消されるべき旨主張している。
　また、さらに、特許異議申立人は、請求項１〜１０の記載は不備があり、本件に係る発明が明確でない旨の主張をしている。
　
ハ、刊行物記載の発明
　
［甲第１号証］
　甲第１号証には、その第２頁左上欄第１６行〜右上欄第１７行に、
「電気掃除機（１）の集塵部となるダストケース（２）には、可撓ホース（３）と曲り管（４）と延長管（５）と接続管（６）とホルダ（７）とが順次接続されている。・・・下部ホルダ（９）の中央部には吸込路（１２）に連通する吸込開口（１３）が形成され、・・・前記接続管（６）は二つの分割管（１６）（１７）に分割されている。一方の分割管（１６）は前記ホルダ（７）の吸込路（１２）の一端に抜け止めされつつ回転自在に嵌合されている。・・・一方の分割管（１６）の後端には第３図に示す状態では床面（掃除面）に対して直交する面内において略半円となる断面曲面形状の嵌合部（１８）が形成され、他方の分割管（１７）の前端には嵌合部（１８）の内面に嵌合する略円形の嵌合部（１９）が形成され、両嵌合部（１８）（１９）はそれらの側面においてビス（２０）により抜け止めされつつ回動自在に接続嵌合されている。」
と記載があり、
　第２頁左下欄第１６〜２０行に、
「机やベッド等障害物（２３）の下の掃除面（２２）を掃除する場合には、分割管（１６）（１７）同志が掃除面（２２）と直交する方向に回動するため、延長管（５）を掃除面（２２）に平行となる方向へ倒して障害物（２３）との干渉を防止することができる。」
と記載があり、
　第２頁右下欄第１２〜１６行に、
「本実施例によれば、嵌合部（１８）（１９）は一方向にのみ回動するするものであるが、一方の分割管（１６）がホルダ（７）に回転自在に嵌合されているため、延長管（５）をあらゆる方向に偏位させることができ、操作性はきわめてよい。」
と記載があり、
　第１〜６図には上記記載に沿った上下左右に回動自在な接続嵌合の態様について図示されているものと認められる。
　また、第６図には、明示の記載はないものの、ホルダ（７）は、その後方中央に接続部取付部と、ホルダ（７）の上面の略中央から接続部取付部の端部に向かって徐々に隆起して形成される隆起部とを備え、接続部取付部は、その端部が円筒状に形成されると共に、その高さが前記吸口本体の高さよりも高くされている点が見て取れる。
　
［甲第２号証］
　甲第２号証には、その第１頁第４〜１６行に、
「床面に向けて開口する吸込風路が形成された本体を設け、この本体の後部に前記吸込風路と連通する第一の回転管を前後方向の軸心をもって左右方向に首振自在に嵌合し、一端が電気掃除機の集塵部に接続され他端が前記第一の回転管に嵌合される第二の回転管を設け、前記第一の回転管と前記第二の回転管との嵌合部に両者の軸心を湾曲する方向に曲率半径の中心を一致させて湾曲部を形成し、前記第一の回転管と前記第二の回転管とに両者の軸心と直交する軸心をもって互いに回動自在に連結されるヒンジ部を前記湾曲部の曲率半径の中心に位置させて設けたことを特徴とする電気掃除機の吸込口体。」
と記載があり、
　第１〜４図には曲率半径の中心Ｏ、及び、第一の回転管と第二の回転管との嵌合部の軸心をもって首振自在にした電気掃除機の吸込口体が図示されている。
　
［甲第３号証］
　甲第３号証には、その第２頁第２欄〜第３頁第１欄の【００１３】〜【００１７】欄に、
「【００１２】
  １は吸込具本体で、下面に吸込口２を形成している。３は前記吸込具本体１に回動自在に取りつけられた接続管で、前記吸込具本体１は、前記接続管３に取付られる延長管及び蛇腹ホースを介して掃除機本体（いずれも図示せず）に接続されるようになっている。
【００１３】
  ４は第１ブラシ片で、植毛密度の高い極細の軟毛ブラシよりなり、前記吸込口２の前方に、前記吸込具本体１の長手方向に略全幅にわたって複数に分割されて配設されている。５は第２ブラシ片で、硬毛ブラシよりなり、前記吸込口２の後方に、前記吸込具本体１の長手方向に略全幅にわたって配設されるとともに、前記第１ブラシ片４よりも下方へ突出している。
【００１４】
  ６は前記第２ブラシ片５吸込口２側の、前記第１ブラシ片４の間隙に対応する位置に形成された補助ブラシ部となる第３ブラシ片で、植毛密度の高い極細の軟毛ブラシにより構成している。
【００１５】
  この構成により、フローリング等の板面を掃除する際には、第１ブラシ片４により板面を拭き取る効果が向上するとともに、第１ブラシ片４の植毛密度が高いため、従来に比べて第１ブラシ片４側からの空気漏れが減少し、吸込力が増大する。
【００１６】
  そして、畳やフローリングの板の継ぎ目等を掃除する際には、第２ブラシ片５により畳や板の継ぎ目等の塵埃を掻き出し、第２ブラシ片５を第１ブラシ片４よりも下方へ突出させることにより、畳の目や板の継ぎ目等の溝の塵埃を掻き出効果が向上する。また、比較的大きな塵埃は、第１ブラシ片４の間隙から吸気される。さらに、第１ブラシ片４の間隙により、フローリング等の板面を拭き取る効果が低下するが、第３ブラシ６により、板面を拭き取る効果が補われる。
【００１７】
  また、上記第１実施例においては、第３ブラシ片６を軟毛ブラシにより構成したが、図３乃至図４に示す第２実施例のごとく、この第３ブラシ片６を硬毛ブラシにて構成し、第２ブラシ片５及び第３ブラシ片６とを第１ブラシ片４よりも下方へ突出させてもよく、この構成によると、第３ブラシ片６により、畳や板の継ぎ目等の塵埃を掻き出す効果が補われる。」
との記載がある。
　
［甲第４号証］
　甲第４号証には、その第１頁第１欄第２〜１２行に、
「１．電気掃除機側への接続口を有する吸込継手に、吸込空気により回転させられるタービンおよび同タービンと連動する回転ブラシを内蔵した吸込具本体を俯仰自在に接続し、かつ上記吸込具本体には、その俯角方向変位が一定値に達したとき開かれて上記吸込空気と別系統の空気を導入する制動空気路を形成し、この制動空気路を介して流入する空気と吸込空気の流れ方向は同一方向であって、タービンに対する作用点がその中心を間に反対側に設定されていることを特徴とする電気掃除機の吸込具。」
と記載があり、
　第２、３図には、吸込継手に吸込具本体を俯仰自在に接続し、その俯角方向変位が一定値に達したとき開かれるバイパス空気路３９が図示されている。
　
　
ニ、対比・判断
　
ａ，本件発明１について
　本件発明１と甲第１号証記載の発明とを対比すると、甲第１号証記載の「電気掃除機（１）」は本件発明１の「電気掃除機本体」に、以下、同様に「ホルダ（７）」は「吸口体」に、「延長管（５）」は「吸引管」に、「接続管（６）とホルダ（７）との接続部」は「接続部」に、「嵌合部（１８）」は「接続部取付部」に、「隆起部；第６図」は「隆起部」に、「分割管（１６）；第６図」は「筒状の回転体」に、「分割管（１７）」は「継手」に、それぞれ相当し、かつそれらの機能は当業者において明らかであることを考慮すると、
両者は、
「塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
である点で一致し、
　
Ａ，本件発明１が「回転体の他端には、その上面に上面端から後退し、継手が清掃面に対して略垂直な状態をとり得ることを許容するヒンジ凹部」が設けられているのに対し、甲第１号証記載の発明は相当する構成を有していない点。（以下、「相違点Ａ」という。）
　
Ｂ，本件発明１が「継手と接続された吸引管が、清掃面に対して略垂直な状態から吸口本体の左右方向に回転」できるものであるのに対し、甲第１号証記載の発明は相当する構成を有していない点。（以下、「相違点Ｂ」という。）
　
Ｃ，本件発明１が「吸口本体の底面に、清掃面上の塵埃を掻き上げる刷毛と、この刷毛により掻き上げられた塵埃を空気流と共に吸口開口部に導くガイド部材と、刷毛により掻き上げられ吸口開口部で吸い切れなかった塵埃を吸口開口部に戻すキーパーとを備えている」のに対し、刊行物１記載の発明は相当する構成を有していない点。（以下、「相違点Ｃ」という。）
で相違する。
　
　そこで、相違点Ａについて検討すると、甲第２〜４号証には、相違点Ａに係る構成について記載も示唆もない。
　この点について、異議申立人は、甲第４号証記載の「接続筒２０」が「略垂直な状態をとり得ることを許容するヒンジ凹部」に係る構成を開示していると主張するが、本件発明１のヒンジ凹部は、請求項１の「前記回転体の他端には、その上面に上面端から後退し、前記継手が清掃面に対して略垂直な状態をとり得ることを許容するヒンジ凹部が設けられ、」との記載からみて、回転体の他端に設けられている。
　よって、甲第４号証記載の「接続筒２０」に相当する部分に設けられるものではなく、異議申立人の主張は採用できない。
　
　相違点Ｂについては、甲第２〜４号証に、相違点Ｂに係る構成については記載も示唆もない。
　異議申立人は、異議申立書に添付した甲第１号証の参考図において、「継手と接続された吸引管が、清掃面に対して略垂直な状態」となりうる点が記載されている旨主張しているが、これらは吸引管自体が屈曲されているものであって、吸引管を屈曲させれば如何なる状態にも設定出来るが、相違点Ｂに係る構成は、継手と接続された吸引管が、屈曲部を設けることなく清掃面に対して略垂直な状態から吸口本体の左右方向に回転可能とした点に特徴があることは、特許明細書の記載に照らして明らかであり、異議申立人の主張は認めることができないものである。
　
　相違点Ｃについては、詳細に検討するまでもなく当業者において周知の事項であり、甲第３号証にも記載がある。
　したがって、相違点Ｃに係る構成は容易に想到可能なものである。
　
　以上のとおりであるから、本件発明１は、上記相違点Ａ，Ｂに係る構成を有し、それによって、特許明細書の【００５３】欄記載の、「本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。」という効果を奏しうるものであるから、甲第１〜４号証のいずれかに記載された発明とも、甲第１〜４号証記載の発明に基づいて当業者が容易に発明をすることができたものとも認めることはできない。
　
ｂ，本件発明２について
　本件発明２は、上記本件発明１に対して「吸口本体の底面に、吸口開口部を挾むように設けられた清掃面上の塵埃を掻き上げる刷毛と、この刷毛により掻き上げられ吸口開口部で吸い切れなかった塵埃を前記吸口開口部に戻すキーパーとを備えていること」という要件を備えていない点で相違するのみである。
　したがって、上記「ａ，本件発明１について」で検討した相違点Ｃに係る構成がないが、相違点Ａ，Ｂに係る構成は存在する。
　してみると、本件発明２は、上記「ａ，本件発明１について」で検討した相違点Ａ，Ｂに係る構成を有し、それによって、特許明細書の【００５３】欄記載の、「本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。」という効果を奏しうるものであるから、甲第１〜４号証のいずれかに記載された発明とも、甲第１〜４号証記載の発明に基づいて当業者が容易に発明をすることができたものともできない。
　
ｃ，本件発明３について
　本件発明３は、本件発明２を引用しているものであるから、上記「ｂ，本件発明２について」において検討した理由と同じ理由により、甲第１〜４号証のいずれかに記載された発明とも、甲第１〜４号証記載の発明に基づいて当業者が容易に発明をすることができたものともできない。
　
ｄ，本件発明４について
　本件発明４と甲第１号証記載の発明とを対比すると、甲第１号証記載の「電気掃除機（１）」は本件発明４の「電気掃除機本体」に、以下、同様に「ホルダ（７）」は「吸口体」に、「延長管（５）」は「吸引管」に、「接続管（６）とホルダ（７）との接続部」は「接続部」に、「嵌合部（１８）」は「接続部取付部」に、「隆起部；第６図」は「隆起部」に、「分割管（１６）；第６図」は「筒状の回転体」に、「分割管（１７）」は「継手」に、それぞれ相当し、かつそれらの機能は当業者において明らかであることを考慮すると、
両者は、
「塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された
筒状の
筒状の
に内在されて
である点で一致し、
　
Ｄ，本件発明４が「回転体の他端には、その上面に上面端から後退し、継手が清掃面に対して略垂直な状態をとり得ることを許容するヒンジ凹部」が設けられているのに対し、刊行物１記載の発明は相当する構成を有していない点。（以下、「相違点Ｄ」という。）
　
Ｅ，本件発明４が「継手と接続された吸引管が、清掃面に対して略垂直な状態から吸口本体の左右方向に回転」できるものであるのに対し、刊行物１記載の発明は相当する構成を有していない点。（以下、「相違点Ｅ」という。）
で相違する。
　
　そこで、相違点Ｄについて検討すると、甲第２〜４号証には、相違点Ｄに係る構成について記載も示唆もない。
　この点について、異議申立人は、甲第４号証記載の「接続筒２０」が「略垂直な状態をとり得ることを許容するヒンジ凹部」に係る構成を開示していると主張するが、本件発明１のヒンジ凹部は、請求項１の「前記回転体の他端には、その上面に上面端から後退し、前記継手が清掃面に対して略垂直な状態をとり得ることを許容するヒンジ凹部が設けられ、」との記載からみて、回転体の他端に設けれている。
　よって、甲第４号証記載の「接続筒２０」に相当する部分に設けられるものではなく、異議申立人の主張は採用できない。
　
　相違点Ｅについては、甲第２〜４号証に、相違点Ｅに係る構成については記載も示唆もない。
　異議申立人は、異議申立書に添付した甲第１号証の参考図において、「継手と接続された吸引管が、清掃面に対して略垂直な状態」となりうる点が記載されている旨主張しているが、これらは吸引管自体が屈曲されているものであって、吸引管を屈曲させれば如何なる状態にも設定出来るが、相違点Ｂに係る構成は、継手と接続された吸引管が、屈曲部を設けることなく清掃面に対して略垂直な状態から吸口本体の左右方向に回転可能とした点に特徴があることは、特許明細書の記載に照らして明らかであり、異議申立人の主張は認めることができないものである。
　
　以上のとおりであるから、本件発明４は、上記相違点Ｄ，Ｅに係る構成を有し、それによって、特許明細書の【００５３】欄記載の、「本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。」という効果を奏しうるものであるから、甲第１〜４号証のいずれかに記載された発明とも、甲第１〜４号証記載の発明に基づいて当業者が容易に発明をすることができたものともできない。
　
ｅ，本件発明５について
　本件発明５は、本件発明４を引用しているものであるから、上記「ｄ，本件発明４について」において検討した理由と同じ理由により、甲第１〜４号証のいずれかに記載された発明とも、甲第１〜４号証記載の発明に基づいて当業者が容易に発明をすることができたものともできない。
　
ｆ，本件発明６について
　本件発明７は、本件発明２ないし５のいずれかを引用しているものであるから、上記「ｂ，本件発明２について」ないし「ｅ，本件発明５について」において検討した理由と同じ理由により、甲第１〜４号証のいずれかに記載された発明とも、甲第１〜４号証記載の発明に基づいて当業者が容易に発明をすることができたものともできない。
　
ｇ，本件発明７について
　本件発明７と刊行物１記載の発明とを対比すると、甲第１号証記載の「電気掃除機（１）」は本件発明７の「電気掃除機本体」に、以下、同様に「ホルダ（７）」は「吸口体」に、「延長管（５）」は「吸引管」に、「接続管（６）とホルダ（７）との接続部」は「接続部」に、「嵌合部（１８）」は「接続部取付部」に、「隆起部；第６図」は「隆起部」に、「分割管（１６）；第６図」は「筒状の回転体」に、「分割管（１７）」は「継手」に、それぞれ相当し、かつそれらの機能は当業者において明らかであることを考慮すると、
両者は、
「下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させる電気掃除機の吸口体。」
である点で一致し、
　
Ｆ，本件発明７が「回転体の他端には、その上面に上面端から後退し、継手が清掃面に対して略垂直な状態をとり得ることを許容するヒンジ凹部」が設けられているのに対し、刊行物１記載の発明は相当する構成を有していない点。（以下、「相違点Ｆ」という。）
　
Ｇ，本件発明７が「継手が、清掃面に対して略垂直な状態から前記吸口本体の左右方向に回転」できるものであるのに対し、刊行物１記載の発明は相当する構成を有していない点。（以下、「相違点Ｇ」という。）
　
　そこで、相違点Ｆについて検討すると、甲第２〜４号証には、相違点Ｆに係る構成について記載も示唆もない。
　この点について、異議申立人は、甲第４号証記載の「接続筒２０」が「略垂直な状態をとり得ることを許容するヒンジ凹部」に係る構成を開示していると主張するが、本件発明１のヒンジ凹部は、請求項１の「前記回転体の他端には、その上面に上面端から後退し、前記継手が清掃面に対して略垂直な状態をとり得ることを許容するヒンジ凹部が設けられ、」との記載からみて、回転体の他端に設けれている。
　よって、甲第４号証記載の「接続筒２０」に相当する部分に設けられるものではなく、異議申立人の主張は採用できない。
　
　相違点Ｇについては、甲第２〜４号証に、相違点Ｇに係る構成については記載も示唆もない。
　異議申立人は、異議申立書に添付した甲第１号証の参考図において、「継手と接続された吸引管が、清掃面に対して略垂直な状態」となりうる点が記載されている旨主張しているが、これらは吸引管自体が屈曲されているものであって、吸引管を屈曲させれば如何なる状態にも設定出来るが、相違点Ｇに係る構成は、継手と接続された吸引管が、屈曲部を設けることなく清掃面に対して略垂直な状態から吸口本体の左右方向に回転可能とした点に特徴があることは、特許明細書の記載に照らして明らかであり、異議申立人の主張は認めることができないものである。
　
　以上のとおりであるから、本件発明７は、上記相違点Ｆ，Ｇに係る構成を有し、それによって、特許明細書の【００５３】欄記載の、「本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。」という効果を奏しうるものであるから、甲第１〜４号証のいずれかに記載された発明とも、甲第１〜４号証記載の発明に基づいて当業者が容易に発明をすることができたものともできない。
　
ｈ，本件発明８について
　本件発明８は、本件発明７を引用しているものであるから、上記「ｇ，本件発明７について」において検討した理由と同じ理由により、甲第１〜４号証のいずれかに記載された発明とも、甲第１〜４号証記載の発明に基づいて当業者が容易に発明をすることができたものともできない。
　
ｉ，本件発明９について
　本件発明９と甲第１号証記載の発明とを対比すると、甲第１号証記載の「電気掃除機（１）」は本件発明９の「電気掃除機本体」に、以下、同様に「ホルダ（７）」は「吸口体」に、「延長管（５）」は「吸引管」に、「接続管（６）とホルダ（７）との接続部」は「接続部」に、「嵌合部（１８）」は「接続部取付部」に、「隆起部；第６図」は「隆起部」に、「分割管（１６）；第６図」は「筒状の回転体」に、「分割管（１７）」は「継手」に、それぞれ相当し、かつそれらの機能は当業者において明らかであることを考慮すると、
両者は、
「下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される
筒状の
筒状の
に内在されて
　前記回転体は、その一端と前記接続部取付部の端部との間で清掃面に対して略垂直に形成される回転面で前記継手を前記吸口本体の左右方向に回転させる電気掃除機の吸口体。」
である点で一致し、
　
Ｈ，本件発明９が「回転体の他端には、その上面に上面端から後退し、継手が清掃面に対して略垂直な状態をとり得ることを許容するヒンジ凹部」が設けられているのに対し、刊行物１記載の発明は相当する構成を有していない点。（以下、「相違点Ｈ」という。）
　
Ｉ，本件発明９が「継手が、清掃面に対して略垂直な状態から吸口本体の左右方向に回転」できるものであるのに対し、刊行物１記載の発明は相当する構成を有していない点。（以下、「相違点Ｉ」という。）
で相違する。
　
　そこで、相違点Ｈについて検討すると、甲第２〜４号証には、相違点Ｈに係る構成について記載も示唆もない。
　この点について、異議申立人は、甲第４号証記載の「接続筒２０」が「略垂直な状態をとり得ることを許容するヒンジ凹部」に係る構成を開示していると主張するが、本件発明９のヒンジ凹部は、請求項９の「前記回転体の他端には、その上面に上面端から後退し、前記継手が清掃面に対して略垂直な状態をとり得ることを許容するヒンジ凹部が設けられ、」との記載からみて、回転体の他端に設けれている。
　よって、甲第４号証記載の「接続筒２０」に相当する部分に設けられるものではなく、異議申立人の主張は採用できない。
　
　相違点Ｉについては、甲第２〜４号証に、相違点Ｅに係る構成については記載も示唆もない。
　異議申立人は、異議申立書に添付した甲第１号証の参考図において、「継手と接続された吸引管が、清掃面に対して略垂直な状態」となりうる点が記載されている旨主張しているが、これらは吸引管自体が屈曲されているものであって、吸引管を屈曲させれば如何なる状態にも設定出来るが、相違点Ｂに係る構成は、継手と接続された吸引管が、屈曲部を設けることなく清掃面に対して略垂直な状態から吸口本体の左右方向に回転可能とした点に特徴があることは、特許明細書の記載に照らして明らかであり、異議申立人の主張は認めることができないものである。
　
　以上のとおりであるから、本件発明９は、上記相違点Ｈ，Ｉに係る構成を有し、それによって、特許明細書の【００５３】欄記載の、「本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。」という効果を奏しうるものであるから、甲第１〜４号証のいずれかに記載された発明とも、甲第１〜４号証記載の発明に基づいて当業者が容易に発明をすることができたものともできない。
　
　
ｊ，本件発明１０について
　本件発明１０は、本件発明９を引用しているものであるから、上記「ｉ，本件発明９について」において検討した理由と同じ理由により、甲第１〜４号証のいずれかに記載された発明とも、甲第１〜４号証記載の発明に基づいて当業者が容易に発明をすることができたものともできない。
　
　
ホ、記載不備について
　特許異議申立人・樋口守孝が主張する、
１）請求項１〜５、７〜１０に係る記載は、「手元ハンドルおよびその形状を規定していない」旨、
２）請求項１〜１０に係る記載は、「ヒンジ凹部とヒンジ凸部とによる回転軸Ｑ２まわりに回転できる通風路を確保する構成が示されていない」旨
３）請求項１に係る記載は、「気流を生む構成が限定されていない」旨
の各主張について検討すると、
上記１）の主張については、手元ハンドルがなくても管体４０１等を握ることでひねり動作は可能であり、手元ハンドルを構成要件としなければならない理由はない。
上記２）の主張については、通風路が確保されないという事実は見出せない。
上記３）の主張については、気流を生む構成が限定されていないという事実は見出せない。
　
　したがって、異議申立人の記載不備に係る主張は、単に請求項の記載が機械的に実施例のとおりのものではないというものに過ぎず、認められるものではない。
　
　
４、むすび
　以上のとおりであるから、本件発明１ないし１０についての特許は、特許異議申立ての理由及び証拠によっては取り消すことはできない。。
　さらに、他に本件発明１ないし１０についての特許を取り消すべき理由を発見しない。
　よって、結論のとおり決定する。
【異議決定日】
平成１３年１０月１７日（２００１．１０．１７）
【訂正の要旨】
訂正の内容
［訂正事項ａ］
　願書に添付した明細書（以下、「特許明細書」という。）の【請求項１】の記載、
　「【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。」
を、
「【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。」
と訂正する。（下線部は訂正個所を示す。以下、同じ。）
［訂正事項ｂ］
　特許明細書の【請求項２】の記載、
「【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
を、
「【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
と訂正する。
［訂正事項ｃ］
　特許明細書の【請求項４】の記載、
「【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された回転体と、一端が前記回転体の他端と接続され他端が前記吸引管に接続され、前記第１回転軸と直交する第２回転軸を回転中心として前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
を、
「【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された
筒状の
筒状の
内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。」
　と訂正する。
［訂正事項ｄ］
　特許明細書の【請求項７】の記載、
「【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される回転体と、一端が前記回転体の他端と接続され、前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
を、
「【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
と訂正する。
［訂正事項ｅ］
　特許明細書の【請求項９】の記載、
「【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される回転体と、その一端が前記回転体の他端と接続され前記第１回転軸と直交する第２回転軸を回転中心として前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
を、
「【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。」
と訂正する。
［訂正事項ｆ］
　特許明細書の【０００９】欄の記載、
「【課題を解決するための手段】
　前記目的を達成するため、本願に係る電気掃除機の１つの発明では、
　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された回転体と、一端が前記回転体の他端と接続され他端が前記吸引管に接続され、前記回転体に対して前記吸引管の清掃面とのなす仰角を変化させる継手とを備え、
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転するように、構成される。
　また、前記目的を達成するため、本願に係る電気掃除機の吸口体の１つの発明では、
　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される回転体と、一端が前記回転体の他端と接続され、前記回転体に対して仰角が変化する継手とを備え、
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転するように、構成される。」
を、
「【課題を解決するための手段】
　前記目的を達成するため、本願に係る電気掃除機の１つの発明では、
　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転するように、構成される。
　また、前記目的を達成するため、本願に係る電気掃除機の吸口体の１つの発明では、
　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転するように、構成される。」
と訂正する。
（５４）【発明の名称】
電気掃除機およびその吸口体
（５７）【特許請求の範囲】
　【請求項１】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転し、
　前記吸口本体の底面に、清掃面上の塵埃を掻き上げる刷毛と、この刷毛により掻き上げられた塵埃を空気流と共に前記吸口開口部に導くガイド部材と、前記刷毛により掻き上げられ前記吸口開口部で吸い切れなかった塵埃を前記吸口開口部に戻すキーパーとを備えていることを特徴とする電気掃除機。
　【請求項２】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。
　【請求項３】　請求項２に記載において、
　前記継手と接続された前記吸引管が、清掃面に対して略垂直な状態から前記吸口本体の左右方向と略平行な状態をとり得ることを特徴とする電気掃除機。
　【請求項４】　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転することを特徴とする電気掃除機。
　【請求項５】　請求項４に記載において、
　前記継手と接続された前記吸引管が、清掃面に対して略垂直な状態から前記吸口本体の左右方向と略平行な状態をとり得ることを特徴とする電気掃除機。
　【請求項６】　請求項２乃至５の何れか１項に記載において、
　前記吸引管をその管軸を中心にひねることにより、前記吸引管と前記吸口本体の左右方向とが上から見て略平行な状態となるように、前記吸口本体を回転させることを特徴とする電気掃除機。
　【請求項７】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。
　【請求項８】　請求項７に記載において、
　前記継手が、清掃面に対して略垂直な状態から、前記吸口本体の左右方向と略平行な状態をとり得ることを特徴とする電気掃除機の吸口体。
　【請求項９】　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面の回転中心軸である第１回転軸により前記一端が前記接続部取付部に回転可能に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転することを特徴とする電気掃除機の吸口体。
　【請求項１０】　請求項９に記載において、
　前記継手が、清掃面に対して略垂直な状態から、前記吸口本体の左右方向と略平行な状態をとり得ることを特徴とする電気掃除機の吸口体。
【発明の詳細な説明】
　【０００１】
　【発明の属する技術分野】
　本発明は、使用者が手元ハンドルを操作することで簡単に吸口体の角度を任意に操作することのできる吸口体を備えた電気掃除機およびその吸口体に関するものである。
　【０００２】
　【従来の技術】
　従来の電気掃除機に使用されている吸口体は、手元ハンドルに延長管を介して接続され、該手元ハンドルを延長管の長手方向を回転軸として回転させることで、吸口体に設けた継手構造によりある程度回転可能に取付けられている。
　【０００３】
　その構造は、吸口本体の長手方向の両側を回転軸として上下方向に揺動可能に取付けられる第１の継手と、屈折した管状の形態を備え、その一端を前記第１の継手の軸方向に回転可能に取付け、他端を延長管に固定して取付けられる第２の継手から構成されている。そして、この吸口体によれば、手元ハンドルを回転させることにより、吸口体を第２の継手が屈折した角度、一般的には４５度程度回転させることができる。
　【０００４】
　例えば、これらの構造は特開平５−２４５０７３号公報に開示されている。
　【０００５】
　【発明が解決しようとする課題】
　前記従来の電気掃除機の吸口体は、吸口体を手元ハンドルを介して前後方向に移動させて掃除するために横長の吸口を基調として形成され、床面を効率良く清掃するようにしている。そして、テーブルの下や隙間の清掃性を向上するために前記した２つの継手を備えることで、手元ハンドルの操作で吸口体を床面に密着させたまま手元ハンドルの上下動や吸口体自体の回転を可能にしている。
　【０００６】
　しかし、従来の吸口体は、吸口体自体の構造を堅牢にすることができるものの、吸口体自体の動作範囲に制約があるため手元ハンドルでの操作性に課題を残していた。
　【０００７】
　例えば、壁際を清掃する場合は、吸口体の長手方向を壁面に沿って移動させるのが効率的である。しかし、前記従来の吸口体の構造では、手元ハンドルを９０度回転させても継手の回転角度が４５度程度しか回転できないために、前記作業を無理な姿勢で行ったり、両手で行わなくてはならなかった。また、ソファーの下などの低い隙間の清掃では、前記屈曲した継手が引っかかって思うような清掃効率を達成できなかった。
　【０００８】
　本発明の目的は、手元ハンドルのひねり動作で吸口本体を床面に対して広範囲に回転させることができるとともに、低い隙間の清掃性が好適な電気掃除機を提供することにある。
　【０００９】
　【課題を解決するための手段】
　前記目的を達成するため、本願に係る電気掃除機の１つの発明では、
　塵埃を空気流と共に吸い込むための送風機を備えた電気掃除機本体と、下面に塵埃を吸い込むための吸口開口部を備えた吸口体と、前記吸口開口部から吸い込まれた塵埃を前記電気掃除機本体に導くための通風路を形成する吸引管とを有し、
　前記吸口体は、奥行方向の長さより左右方向の長さが長い吸口本体と、前記吸口本体の後方中央に取り付けられ前記吸引管と接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、その一端と前記接続部取付部の端部との間で清掃面に対して略垂直に形成される回転面で前記吸引管を前記吸口本体の左右方向に回転させるように前記一端が前記接続部取付部に接続された
筒状の
筒状の
に内在されて
　前記回転体の他端には、その上面に上面端から後退し、前記継手が清掃面に対して略垂直な状態をとり得ることを許容するヒンジ凹部が設けられ、
　前記継手と接続された前記吸引管が、清掃面に対して略垂直な状態から前記吸口本体の左右方向に回転するように、構成される。
　また、前記目的を達成するため、本願に係る電気掃除機の吸口体の１つの発明では、
　下面に塵埃を吸い込むための吸口開口部を備え、奥行方向の長さより左右方向の長さが長い吸口本体と、一端が前記吸口本体と接続され他端が前記吸口開口部から吸い込まれた塵埃を電気掃除機本体に導くための吸引管に接続される接続部とを備え、
　前記吸口本体は、その後方中央に前記接続部の一端を接続する接続部取付部と、前記吸口本体の上面の略中央から前記接続部取付部の端部に向かって徐々に隆起して形成される隆起部とを備え、
　前記接続部取付部は、その端部が円筒状に形成されると共に、その高さが前記吸口本体の高さよりも高くされ、
　前記接続部は、一端が前記接続部取付部に接続される
筒状の
筒状の
に内在されて
　前記回転体は、その一端と前記接続部取付部の端部との間で清掃面に対して略垂直に形成される回転面で前記継手を前記吸口本体の左右方向に回転させ、
　前記回転体の他端には、その上面に上面端から後退し、前記継手が清掃面に対して略垂直な状態をとり得ることを許容するヒンジ凹部が設けられ、
　前記継手が、清掃面に対して略垂直な状態から前記吸口本体の左右方向に回転するように、構成される。
　【００１０】
　【発明の実施の形態】
　以下、本発明の実施の一形態を図１から図１２を参照して説明する。
　【００１１】
　（第１の実施形態）
　図１から図９は本発明に係る第１の実施形態であり、図１が電機掃除機の外観斜視図、図２が吸口体の後方外観斜視図、図３が吸口体の平面図、図４が吸口体の正面図、図５が吸口体の右側面図、図６が吸口体の底面図、図７が吸口体の中央縦断面図、図８が接続部の外観斜視図、図９が接続部の分解図である。
　【００１２】
　先ず、図１を参照して、本実施形態に係る電機掃除機を説明する。符号１で総括的に示すのは電気掃除機全体であり、塵埃を吸い込むための図示しない機構、例えば送風機を備えた電気掃除機本体１００と、一端が前記電気掃除機本体１００に取り付けられ、前記送風機に連通する柔軟性のある吸引ホース２００と、前記吸引ホース２００の他端に取り付けられて前記送風機に連通する手元ハンドル３００と、前記手元ハンドル３００に取り付けられて前記吸引ホース２００に連通する吸引管４００と、前記吸引管４００に取り付けられ、該吸引管４００に連通する吸口体５００とから構成される。
　【００１３】
　前記電気掃除機本体１００は、内部に使い捨て塵埃袋を備えた集塵室を備え、一対の大車輪１０１と１個の自在車輪１０２とで、前記吸引ホース２００を介して移動させることができる。また、前記電気掃除機本体１００の運転制御は、該電気掃除機本体１００の上面に設けた運転表示部内の赤外線受光部１０３で、手元ハンドル３００から発信される操作信号を受けて操作される。
　【００１４】
　また、手元ハンドル３００から吸引ホース２００に沿って電気的な導電線を設け、この導電線を介して電気掃除機の運転を制御するための信号、例えば送風機に設けられているモーターの回転速度を制御する信号を伝え、電気掃除機の運転を制御しても良い。
　【００１５】
　前記吸引ホース２００は、塵埃を前記電気掃除機本体１００に搬送するための搬送通路としての機能と、電気掃除機本体１００を移動させるための移動引っ張り手段としての機能を備えている。
　【００１６】
　手元ハンドル３００は、前記吸引ホース２００と前記吸引管４００とを連通させる機能と、前記電気掃除機本体１００の運転制御および電気掃除機本体１００を移動させる機能、さらに前記吸口体５００の動きを操作する機能を備えている。該手元ハンドル３００は、前記吸引ホース２００と着脱可能に接続され、さらに前記吸引管４００とも着脱自在に取り付けられることで、前記吸引ホース２００と前記吸引管４００とを連通させて塵埃の搬送路を形成している。さらに該手元ハンドル３００は、前記吸引管４００の長手方向、すなわち、前記吸引管４００の中心軸Ｂ２の延長線上の上端に、前記中心軸Ｂ２と９０度以上１６０度以下、好ましくは１００度から１２０度前後の角度（図中のα）を持っている。そして、その長手方向の軸Ｂ１が前記吸引ホース２００と前記吸引管４００との接続方向と略一致する位置にハンドル部３０１を備えている。このハンドル部３０１により、前記吸引ホース２００を介して前記電気掃除機本体１００を移動させることができ、さらに、前記吸口体５００の動きを操作することができる。特に、このハンドル部３０１によれば、ひねり動作、すなわち中心軸Ｂ２を中心とした回転Ｐ１を容易に行なうことができる。このひねり動作の際、前記ハンドル部３０１を上方に設けているので、下方に設けた吸引ホース２００が前記ひねり動作を邪魔することが少ない。これにより、後述の如く吸口体５００を床面（清掃面）上で９０度以上回転させることができる（図中のＰ２）。また、上述したハンドルの形状により、吸口体５００の回転操作を比較的容易に行なうことができる。この理由は、ハンドル部３０１に角度（図中のα）をつけることで、ハンドル部３０１をひねった際に回転モーメントが生じるためである。
　【００１７】
　さらに、前記ハンドル部３０１の近傍には前記電気掃除機本体１００の運転を操作する操作部３０２が設けられている。該操作部３０２には赤外線発信部３０３が設けられており、該赤外線発信部３０３から前記電気掃除機本体１００に設けた赤外線受光部１０３に操作信号を発信し、前記電気掃除機本体１００の電源のＯＮ、ＯＦＦや各種の制御を行なうことができる。なお、手元ハンドル３００には図示しない電池等の電源部が備えられているので、前記吸引ホース２００に電気配線を行なうことが不要である。また、赤外線発信部３０３を２ケ所に設けているため、天井や壁面等の反射を利用して操作信号を確実に電気掃除機本体１００に伝達できるので、誤動作を軽減することができる。
　【００１８】
　前記吸引管４００は、前記手元ハンドル３００と前記吸口体５００とを連通させ、さらに該手元ハンドル３００と該吸口体５００とを所定の位置で固定することで、該手元ハンドル３００の動き（移動や回転）を該吸口体５００の動き（移動や回転）とするように伝達する機能を備えている。この実施例では、大きさの異なる２つの管体４０１と４０２とを組み合わせることにより、前記吸引管４００を所定の長さで固定できるように伸縮自在に構成し、一方に前記手元ハンドル３００を、他方に前記吸口体５００を着脱自在に取り付けるようにしている。
　【００１９】
　前記吸口体５００は、塵埃を吸い込むための吸口開口部１００６（図６参照）を底面に備えた吸口本体１０００と、前記吸口本体１０００を前記吸引管４００に連結し、前記吸引管４００を介して伝達される前記手元ハンドル３００の動きに対して吸口本体１０００の底面が常に床面（清掃面）と接するように動作するとともに、前記吸口本体１０００から吸い込んだ塵埃を含む空気流を前記吸引管４００に導くように連通する接続部１５００とで構成される。
　【００２０】
　前記接続部１５００は、前記吸口本体１０００の後方に設けられ、前記吸口体５００の取付面に対して回転可能に取付けられる回転体１５０１と、前記回転体１５０１に対し仰角が変化可能な継手１５０２とから構成される。本実施形態においては、仰角を図中のＹで示す。この構成により、本実施形態に係る電機掃除機１においては、前記手元ハンドル３００のひねり動作の回転Ｐ１をそのまま前記吸口本体１０００のＰ２として伝達する機能を持たせている。
　【００２１】
　即ち、本実施形態の前記回転体１５０１は、前記吸口本体１０００の背面に形成されるほぼ垂直な取付面に取付けられ、回転軸Ｑ１（図７参照）を中心に、前記回転体１５０１と前記取付面との間に形成される回転面Ｆ（図７参照）上を回転する。この回転面Ｆの作用により、前記吸口体５００は、前記回転軸Ｑ１を中心に吸口体１０００の両翼を振るようにＺ方向に回転動作する。
　【００２２】
　一方、前記継手１５０２は、前記回転体１５０１の他の一端に取り付けられ、回転軸Ｑ２（図７参照）を中心に高低方向の角度（仰角）となるＹ方向に回転動作する。ここで、吸口体５００は、その底面を清掃面に接するため、前記Ｚ方向の回転は制限される。しかし、本実施形態では、回転体１５０１の一端にＹ方向に動作する回転軸Ｑ２を備えているので、手元ハンドル３００のひねり動作の回転Ｐ１は、前記回転軸Ｑ１、Ｑ２を中心とする２つの回転に変換され、吸口体５００の後方を振るように動作して吸口体５００の回転Ｐ２に変換される。これにより、本実施形態では前記手元ハンドル３００のひねり動作Ｐ１を、吸口本体１０００の回転Ｐ２として伝達することができる。
　【００２３】
　なお、本実施形態では、前記吸口本体１０００の前記Ｚ方向の回転は、吸口体５００を正対させて手元ハンドル３００をその中心に位置させた直進状態において、少なくとも右方向へ９０度、左方向へ９０度、すなわち１８０度の範囲で行なうことができる。また、前記Ｙ方向の回転は、前記吸引管４００を水平にする位置から直立する位置、すなわち少なくとも９０度の範囲で回転可能にしている。
　【００２４】
　このように、本実施形態に係る電気掃除機１の大きな特徴は、手元ハンドル３００を介した吸口体５００の動作、例えば手元ハンドル３００のひねり動作の回転Ｐ１を、そのまま吸口体５００の回転Ｐ２として伝達できる等、電気掃除機１の使用者が手元ハンドル３００で行なう動作を吸口体５００の動作としてスムーズに行なうことができる点にある。特に、この実施形態に係る吸口体５００は、吸口本体１０００の後方に接続部１５００が配置されているので吸口体５００の全高が低くなるから、吸口本体１０００の底面を清掃面に密着させたままで、例えばベッドの下などの高さの低い空間にもぐり込ませることができる。しかも、ベッドの下にもぐり込ませても吸口体５００は左右にぶれることなく直進性に優れている。以下、本実施形態に係る電気掃除機の大きな特徴の１つである吸口体５００を詳細に説明する。
　【００２５】
　次に、図２を基に図３から図６を参照して、前記吸口体５００の外観構造について説明する。図２から図５において、前記したように、吸口体５００は、吸口本体１０００と、この吸口本体１０００の後方の中央に配置された接続部１５００とから構成されている。前記吸口体１０００は上面が前方に傾斜した薄形の横長箱体形状に形成されている。また、前記吸口体１０００は、この吸口本体１０００の上部を覆う樹脂材料で成形された上カバー１００１と、吸口本体１０００の下部を覆う樹脂材料で成形された下カバー１００２とから構成される。前記上カバー１００１と下カバー１００２は吸口本体１０００の周側部で合わされ、その合わせ部に凸状のバンパー１００３が形成されている。この実施形態では、図７に示すように、前記バンパー１００３を上カバー１００１と一体成形し、このバンパー１００３に下カバー１００２が嵌まり込むように組み立てられて、図示しないネジで取付けられている。なお、前記バンパー１００３を別体の材料、例えば、ゴムなどの軟質材、あるいは弾力性のある樹脂材料で形成し、これを上カバー１００１と下カバー１００２とで上下から挟み込むように組み立ててネジで止めるようにしてもよい。
　【００２６】
　また、前記吸口本体１０００は、図３に示す上面形状において、前記バンパー１００３を含めて４隅に大きな丸みがあるように形成され、吸口本体１０００が清掃面を回転したときに、角が当たって家具を傷付けないように配慮した形状としている。
　【００２７】
　また、吸口本体１０００の後方となる周側面、すなわち背面の中央には後方からみて円形に隆起した凸状の接続部取付部１００４が形成され、この接続部取付部１００４の円形の面は床面に対してほぼ垂直になるように形成される。そして、この接続部取付部１００４の前記円形の面に後方に伸びるように接続部１５００が回転可能に取付けられる。ここで、本実施例では上カバー１００１と下カバー１００２の結合部を円形の接続部１５００の中央の位置に設けてあり、この上ケース１００１と下ケース１００２を組み立てる際に、前記接続部１５００を挟み込むようにして組み立てるようにしている。
　【００２８】
　また、本実施形態では、前記接続部１５００を、内部の通風路を確保しつつ、多様な動きにも堅固に動作可能なように、接続部１５００の直径を大きく形成している。これにともない、前記接続部取付部１００４の円形の直径も大きく形成している。一方、本実施形態の吸口体５００は内部に回転ブラシなどを設けない低価格機種を想定して設計しているため、吸口本体１０００を薄くして、できるだけコンパクトにしている。本実施形態では、薄い吸口本体１０００に堅固な接続部１５００を取付けるために、吸口本体１０００の上面中央に、前方から後方の接続部取付部１００４に向かって徐々に隆起して連続する隆起部１００５を形成し、全体のコンパクト化を図りながら堅固でかつ吸い込み効率のよい十分な開口を備えた接続部１５００を取付けるようにしている。
　【００２９】
　一方、前記接続部１５００は、基本造形を円柱形状に形成され、その一方の円形部を前記接続部取付部１００４に回転可能に取付け、他の一方を、側面からみて半円形となるように形成している。この半円形の外観を備えた接続部１５００の一端には、前記半円形の中心位置に取付けられる回転軸によって回転可能に取付けられる継手１５０２が設けられている。この詳細な構造については、図７で述べる。
　【００３０】
　図６において、吸口本体１０００の中央には塵埃を吸い込むための横長矩形状の吸口開口部１００６が形成され、この吸口開口部１００６の前方に柔軟性のある凸状の刷毛１００７が一列に並んで配置され、さらに、その前方に前記吸口開口部１００６に塵埃を含んだ空気流をガイドして気流の流れを整流する複数の凸状のガイド突起１００８が設けられている。一方、前記吸口開口部１００６の後方には、この吸口開口部１００６で吸い切れなかった塵埃をはね返して吸口開口部１００６へ戻すための凸状のキーパー１００９が設けられている。そして、前記吸口開口部１００６を清掃面から適度に浮かせて、前記凸状の刷毛１００７やキーパー１００９の効率をよくするとともに、吸口体５００の走行機能を確保する車輪１２００を、吸口本体１０００の四隅近傍に設けている。これにより、吸口体５００を前後方向にスムーズに移動させることができ、この際前記刷毛１００７で清掃面をブラッシングして、これにより舞い上がった塵埃を効率よく吸い込むことができる。また、前記車輪１２００は適度な硬さがある滑り樹脂材料で形成されているので、吸口体５００の回転動作にもスムーズに回転させることができる。さお、前記車輪１２００を中央が膨らんだ太鼓形状としたり、車輪走行面に刷毛や絨毯生地を貼り付けるなどすると、回転性能を一段と向上することができる。
　【００３１】
　また、この実施形態では、前記凸状に形成したバンパー１００３の長手方向の一部を切り欠いて複数の凹部１０１０を形成している。これにより、吸口体５００の先端部（バンパー１００３の前部）を壁に押し付けた場合、前記バンパー１００３に形成した凹部１０１０から空気を吸い込むことができる。この吸い込まれる空気はスポット的に吹き付けられ、しかも前記複数のガイド突起１００８によりその流速が早くなるので刷毛１００７が届かない清掃面の部分、例えば壁際の清掃面を速いスポット的な気流により舐めて、塵埃を効率よく吸い込むことができる。さらに吸い込まれた空気は前記ガイド突起１００８により整流されて吸口開口部１００６に吸引される。
　【００３２】
　このように、本実施例に係る吸口本体１０００によれば、滑り部材からなる車輪１２００により吸口本体１０００の操作性を向上することができ、さらに、ガイド突起１００８、刷毛１００７、キーパー１００９を設けているので、床面（清掃面）の清掃効率を向上させることができる。また、本実施例に係る吸口本体１０００を回転させた場合においても、車輪１２００が滑り部材により形成されているので、吸口本体１０００の操作性が低下することがない。
　【００３３】
　次に、図７から図９において吸口体５００の内部構造を説明する。図において、この実施形態に係る吸口体５００は、回転軸Ｑ１、Ｑ２を備えており、吸口本体１０００のＺ方向の回転がＱ１に沿って行われ、高低方向の角度（仰角）Ｙの回転が回転軸Ｑ２に沿って行なわれる。
　【００３４】
　前記回転体１５０１および継手１５０２は、前記吸口本体１０００の吸口開口部１００６と連通する通風開口部１５０３を備えており、これにより、吸口開口部１００６から吸引管取付部１５１２まで連通する塵挨の通路を構成する。前記回転体１５０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１５０２を内在させて回転可能にする第２の回転ヒンジ受部１５０６を形成している。前記第１のヒンジ凸部１５０５は第１のヒンジ受部１５０４とともに回転軸Ｑ１を中心として回転する第１の回転ヒンジ部１５０７を構成し、前記第２のヒンジ受部１５０６は継手１５０２の一端に形成される第２のヒンジ凸部１５０８とともに回転軸Ｑ２を中心として回転する第２の回転ヒンジ部１５０９を構成する。
　【００３５】
　前記第１のヒンジ凸部１５０５は、凸状のリング部１５１０の周囲にリング溝１５１１を形成したもので、このリング溝１５１１に前記第１のヒンジ受部１５０４が勘合して、第１のヒンジ部１５０７を回転可能にする。そして、この第１のヒンジ部１５０７は、前記回転体１５０１の第１のヒンジ凸部１５０５と、接続部取付部１００４の前記第１のヒンジ受部１５０４の取付面に回転面Ｆが形成され、この回転面Ｆの上を回転体１５０１が回転する。
　【００３６】
　一方、前記第２のヒンジ凹部１５０６は、継手１５０２の一端に形成された横配置の筒体形状の第２のヒンジ凸部１５０８を内在させる。先ず、この継手１５０２を説明の都合上、先に説明する。
　【００３７】
　前記継手１５０２は、横配置の筒体の形状を備えた第２のヒンジ凸部１５０８と、その一方の筒体の周側面に取付けられるパイプ状の吸引管取付部１５１２とから構成される。前記第２のヒンジ凸部１５０８は、吸引管取付部１５１２が取付けられる周側面と対向する周側に開口部１５１３が形成され、筒体の両側に回転突起１５１４（図９参照）が形成される。
　【００３８】
　さて、前記第２のヒンジ凹部１５０６は、横配置の筒状の前記第２のヒンジ凸部１５０８を内在するように、側面からみて半円形となるように形成され、その後方に前記継手１５０２の吸引管取付部１５１２が前記半円形の周側面に沿ってＹ方向に動作を可能にする駆動溝１５１５を設けている。また、前記第２のヒンジ凹部１５０６の内壁面両側には回転軸取付凹部１５１６が形成され、この回転軸取付凹部１５１６に前記第２のヒンジ凸部１５０８の前記回転突起１５１４が樹脂弾性を利用して挿入嵌合されて結合され、この嵌合部の中心に構成される回転軸Ｑ２を中心に前記継手１５０２が回転体１５０１に回転可能に取付けられる。
　【００３９】
　ところで、本実施形態では、前記継手１５０２を、その長手方向が水平な姿勢から直立する姿勢までを動作可能にしている。このため、前記２つの姿勢を動作可能にし、かつ回転体１５０１と継手１５０２の通風路を空気漏れなくするためには、前記第２のヒンジ凸部１５０８に形成した開口部１５１３が小さくなる。そこで、この実施形態では、前記開口部１５１３の大きさ（高さ寸法）を大きくして、前記継手１５０２が水平な姿勢で上方に開口する隙間を塞ぐシャッタを設けている。このシャッタ１５１７は、前記継手１５０２が水平な姿勢では第２のヒンジ凸部１５０８と第２のヒンジ凹部１５０６との隙間を塞ぎ、前記継手１５０２が垂直な姿勢では第２のヒンジ凹部１５０６内に収納される。この構造は、図９に示すように、シャッタ１５１７の両側に回転軸受部１５１８を設け、この回転軸受部１５１８の先端に前記回転突起１５１４に回転可能に勘合する回転軸孔１５１９を設ける。これにより、シャッタ１５１７を第２のヒンジ凸部１５０８と同じ回転軸Ｑ２で摺動することができるので、前記第２のヒンジ凸部１５０８の動きに合せてシャッタ１５１７を出没させることができる。
　【００４０】
　本実施形態では前記シャッタ１５１７を設けることにより、前記継手１５０２の高低方向の角度（仰角）Ｙを小さくしたとき（水平姿勢）に、塵埃を含んだ空気流の漏れを防ぎ、前記電気掃除機本体１００に設けた集塵室に塵埃を含んだ空気流を導くのに十分な開口面積を維持しながら、前記回転体１５０１と前記継手１５３２とを連通させることができる。
　【００４１】
　なお、本実施例ではシャッタ機構として１個のシャッタ１５１７を用いたが、これに限るものではなく、ジャバラや伸縮自在な軟質材、および複数のシャッタなどを用いてもよい。
　【００４２】
　（第２の実施形態）
　図１０から図１２は本発明に係る電気掃除機の第２の実施形態である。この実施形態は、前記第１の実施形態の吸口体に採用されている接続部の他の実施形態を示している。図１０は接続部の外観斜視図、図１１は接続部の分解斜視図、図１２は接続部の断面図を示している。
　【００４３】
　この実施形態に係る接続部１６００は、前記第２の実施形態で説明した接続部１５００に置き換えることが可能なものである。したがって、以後の説明及び図面では、接続部１５００以外の吸口本体１０００及び電気掃除機本体１や手元ハンドル３００は前記第１の実施形態と共通につき説明を省略している。
　【００４４】
　図において、この実施形態に係る接続部１６００は、前記吸口本体１０００の後方に設けられ、前記吸口体５００の取付面に対して回転可能に取付けられる回転体１６０１と、前記回転体１６０１に対し仰角が変化可能な継手１６０２とから構成される。本実施形態の接続部１６００を備えた電機掃除機１においては、前記第１の実施形態と同様、前記手元ハンドル３００のひねり動作の回転Ｐ１をそのまま前記吸口本体１０００の回転Ｐ２として伝達する機能を持たせることができる。
　【００４５】
　この実施形態の接続部１６００を備えた吸口体５００もまた、図１０に示すように、回転軸Ｑ１、Ｑ２を備えており、この回転軸Ｑ１により吸口本体１０００をＺ方向に回転させ、前記回転軸Ｑ２により吸口体１０００を高低方向の角度（仰角）となるＹ方向に回転させることができる。
　【００４６】
　前記回転体１６０１および継手１６０２は、前記吸口本体１０００の吸口開口部１００６と連通する通風開口部１５０３を備えており、これにより、吸口開口部１００６から吸引管取付部１５１２まで連通する塵埃の通路を構成する。前記回転体１６０１は、ほぼ筒状の形状を備えており、その一端に前記接続部取付部１００４に形成される円形の第１のヒンジ受部１５０４に回転可能に嵌合する第１のヒンジ凸部１５０５が形成され、他の一端に継手１６０２を内在させて回転可能にする第２の回転ヒンジ受部１６０６を形成している。前記第１のヒンジ凸部１５０５は第１のヒンジ受部１５０４とともに回転軸Ｑ１を中心として回転する第１の回転ヒンジ部１５０７を構成し、前記第２のヒンジ受部１６０６は継手１６０２の一端に形成される第２のヒンジ凸部１６０８とともに回転軸Ｑ２を中心として回転する第２の回転ヒンジ部１６０９を構成する。
　【００４７】
　前記第１のヒンジ凸部１５０５は、凸状のリング部１５１０の周囲にリング溝１５１１を形成したもので、このリング溝１５１１に前記第１のヒンジ受部１５０４が勘合して、第１のヒンジ部１５０７を回転可能にする。そして、この第１のヒンジ部１５０７は、前記回転体１５０１の第１のヒンジ凸部１５０５と、接続部取付部１００４の前記第１のヒンジ受部１５０４の取付面に回転面Ｆが形成され、この回転面Ｆの上を回転体１５０１が回転する。
　【００４８】
　一方、前記第２のヒンジ凹部１６０６は、回転軸Ｑ２となる回転軸受部１６２０を回転体１６０１の上端に設け、第２のヒンジ凹部１６０６の下部内壁面（下部流通路）を前記回転軸Ｑ２を中心とする円弧状に形成している。このため、回転体１５０１の後部の外観形状は、上面後方に開口部１６２１が形成され、その下部がお椀状に形成された形態としている。ここで、前記回転軸Ｑ２は前記開口部１６２１の前端に設けられている。
　【００４９】
　また、前記継手１６０２は、筒状の形態を備え、その一端の開口部１６２２に第２のヒンジ凸部１６０８を設け、他の一端となる開口部１６２３に吸引管取付部１５１２とが構成される。前記第２のヒンジ凸部１６０８は、上部に前記回転受部１６２０に取付けられる回転軸部１６２４が設けられ、下部は前記回転軸部１６２４を中心として下方に張り出した円弧状としている。そして、前記第２のヒンジ凸部１６０８は、前記回転軸部１６２４を回転受部１６２０に樹脂の弾性を利用して回転可能に取付けて、第２のヒンジ凹部１６０６の内部に収納される。この際、前記第２のヒンジ凸部１６０８の外観形状は、前記第２のヒンジ凹部１６０６の内壁面形状より僅かに小さく形成して、その両部の隙間から空気流が漏れないようにする。これにより、前記第２のヒンジ凸部１６０８は、回転軸Ｑ２を中心にして前記第２のヒンジ凹部１６０６の内部に出没自在に収納される。ここで、この実施形態では、第２のヒンジ凸部１６０８が第２のヒンジ凹部１６０６に収納されて互いに重なりあう前記下方の円弧状の摺動面１６２５の角度Ｓ１を少なくとも９０度以上の範囲としている。これにより、継手１６０２が水平な状態から、Ｙ方向に回転して垂直な姿勢となる位置まで回転動作が可能となり、しかも、この動作範囲で、第２のヒンジ凸部１６０８と第２のヒンジ凹部１６０６の間から空気漏れを防ぐことができる。
　【００５０】
　このように本実施形態によれば、第２の回転ヒンジ部１６０９の構造を、上部に配置した回転軸Ｑ２を中心に第２のヒンジ凸部１６０８を第２のヒンジ凹部１６０６内に出没可能にしているので、前記第１の実施形態と同様な作用効果を有しながら、新たなシャッタ機構を設ける必要がない。また、前記第２の回転ヒンジ部１６０９の構造によれば、前記開口部１６２２の大きさをつねに同じ大きさにできるので、塵埃の詰まりを軽減することができるとともに、騒音を軽減することができる。
　【００５１】
　以上、本実施形態に係る電気掃除機においては、利用者が立ち姿勢で手元ハンドルを持ち絨毯やたたみなどを掃除する場合には、ハンドルの長手方向を進行方向に向けて前後に横長の吸口体を移動させることで通常の電気掃除機と同様な掃除が可能である。また、この姿勢からハンドルの長手方向をひねることにより、吸口体を回転することができる。この実施形態では、手元ハンドルを左右に９０度ずつひねることで、吸口体も左右に９０度ずつ回転させることができる。例えば、吸口体を９０度回転させて、その長手方向に沿って移動しながらの清掃を行うことができる。この際、利用者は通常の清掃姿勢と同様に清掃することができる。更に、手元ハンドルをひねる動作により、自動車のハンドルをきるように、吸口体の進行方向を変更することもできる。
　【００５２】
　加えて、本実施形態によれば、手元ハンドルを低い位置にして、ベッドの下など清掃する場合、吸口体の高さが低いので高さが低い部位てももぐり込ませることができる。しかも、この手元ハンドルが低い姿勢において吸口体が左右にぶれないので清掃性がよい。
　【００５３】
　【発明の効果】
　本発明によれば、吸口本体を手元ハンドルのひねり動作により回転させることができるので、電気掃除機の使用者が楽な姿勢で掃除を行なうことができるとともに、低い隙間の清掃性を向上させ、かつ電気掃除機の操作性を向上することができる。
【図面の簡単な説明】
　【図１】
　本発明に係る電気掃除機の実施例を示す電気掃除機の外観斜視図である。
　【図２】
　本発明に係る電気掃除機の実施例を示す吸口体の斜視図である。
　【図３】
　本発明に係る電気掃除機の実施例を示す吸口体の平面図である。
　【図４】
　本発明に係る電気掃除機の実施例を示す吸口体の正面図である。
　【図５】
　本発明に係る電気掃除機の実施例を示す吸口体の右側面図である。
　【図６】
　本発明に係る電気掃除機の実施例を示す吸口体の底面図である。
　【図７】
　本発明に係る電気掃除機の実施例を示す吸口体の断面図である。
　【図８】
　本発明に係る電気掃除機の実施例を示す吸口体接続部の外観斜視図である。
　【図９】
　本発明に係る電気掃除機の実施例を示す吸口体接続部の分解斜視図である。
　【図１０】
　本発明に係る電気掃除機の他の実施例を示す吸口体接続部の外観斜視図である。
　【図１１】
　本発明に係る電気掃除機の他の実施例を示す吸口体接続部の分解斜視図である。
　【図１２】
　本発明に係る電気掃除機の他の実施例を示す吸口体接続部の断面図である。
　【符号の説明】
　１　電気掃除機
　１００　電気掃除機本体
　１０１　大車輪
　１０２自在車輪
　１０３　赤外線受光部
　２００　吸引ホース
　３００　手元ハンドル
　３０１　ハンドル部
　３０２　操作部
　３０３　赤外線発信部
　４００　吸引管
　４０１、４０２　管体
　５００　吸口体
　１０００　吸口本体
　１２００　車輪
　１５００　接続部
　１５０１　回転体
　１５０２　継手
　Ｂ１　長手方向の軸
　Ｂ２　中心軸
　Ｆ　回転面
　Ｐ１　手元ハンドルのひねり
　Ｐ２　吸口体の旋回
　Ｑ１、Ｑ２　回転軸
　Ｚ　吸口体の両側を振る方向の回転
　Ｙ　高低方向の回転